(57)【要約】データ測定部１１は、被験者の血液や尿について測定を行い、数値データを取得する（Ｓ５０１）。通信制御部１２は、取得された数値データをデータ管理装置２０に送信する（Ｓ５０２）。全体制御部１４は、データ測定装置１０から数値データを受信し（Ｓ５０３）、受信した数値データの内容を分析する（Ｓ５０４）。全体制御部１４は、上記の分析結果に基づいて検量線データの選択を行い（Ｓ５０５）、ヘルスケアデータを換算する（Ｓ５０６）。さらに、全体制御部１４は、換算したヘルスケアデータをデータ測定装置１０に送信するように通信制御部１３に指示する（Ｓ５０７）。データ測定装置１０は、データ管理装置２０からヘルスケアデータを受信する（Ｓ５０８）。
2004014228.tif 000002
【特許請求の範囲】
【請求項１】
被験体に関する生物学上の所定の特性を測定するためのデータ測定装置であって、
被験体に関する特性を所定の電気量を表す情報に変換する特性変換手段と、
前記変換された電気量を表す情報を所定の他の装置に送信する情報送信手段と、
前記他の装置から、前記被験体の生物学上の特性を表わす単位を付加したデータを受信するデータ受信手段と
を備えることを特徴とするデータ測定装置。
【請求項２】
互いにネットワークを介して接続されている、被験体に関する生物学上の特性を測定するためのデータ測定装置と前記特性に関するデータを管理するデータ管理装置とを有するヘルスケアデータ取得システムであって、
前記データ測定装置は、
被験体に関する特性を所定の電気量を表す情報に変換する特性変換手段と、
前記電気量を表わす情報を前記データ管理装置に送信する情報送信手段とを備え、
前記データ管理装置は、
前記データ測定装置から前記情報を受信する受信手段と、
前記受信した情報に基づいて、前記被験体に関する生物学上の特性を表わす単位を付加したデータに換算するデータ換算手段と、
前記換算されたデータを前記データ測定装置に返信する返信手段と
を備えることを特徴とするヘルスケアデータ取得システム。
【請求項３】
前記特性変換手段は、
前記特性を所定の電気量に変換するセンサを含む変換部と、
前記変換された電気量を表す情報を生成する測定ユニットを含むインタフェース部とを備え、
前記センサと前記測定ユニットには、それぞれの属性を示すプロパティ情報が付与されており、
前記特性変換手段は、さらに、前記プロパティ情報の特定を行い、
前記情報送信手段は、さらに、前記特定されたプロパティ情報を前記データ管理装置に送信し、
前記データ管理装置のデータ換算手段は、
前記プロパティ情報を考慮してヘルスケアデータを換算する
ことを特徴とする請求項２記載のヘルスケアデータ取得システム。
【請求項４】
前記データ管理装置の前記データ換算手段は、
前記所定の電気量と前記被験体の特性とを関連づける検量線データに基づいて前記換算を行う
ことを特徴とする請求項３記載のヘルスケアデータ取得システム。
【請求項５】
前記データ管理装置は、さらに、
前記プロパティ情報に対応した検量線データを記憶する記憶手段を備え、
前記データ換算手段は、
前記プロパティ情報に応じて前記記憶手段から検量線データを選択し、当該選択した検量線データに基づいて前記換算を行う
ことを特徴とする請求項４記載のヘルスケアデータ取得システム。
【請求項６】
前記記憶手段は、
前記センサのプロパティ情報と前記測定ユニットのプロパティ情報との組に対応した検量線データを記憶する
ことを特徴とする請求項５記載のヘルスケアデータ取得システム。
【請求項７】
前記データ管理装置は、さらに、
操作者からの指示を受け付ける指示受付手段を備え、
前記記憶手段は、
前記指示に基づいて、新たな前記センサのプロパティ情報と前記測定ユニットのプロパティ情報との組に対応した新たな検量線データを追加する
ことを特徴とする請求項６記載のヘルスケアデータ取得システム。
【請求項８】
前記センサのプロパティ情報は、当該センサを特定し得るＩＤ番号であり、
前記測定ユニットのプロパティ情報は、当該ユニットを特定し得るＩＤ番号である
ことを特徴とする請求項７記載のヘルスケアデータ取得システム。
【請求項９】
前記センサのプロパティ情報は、当該センサが測定対象とする体液の種類、当該センサと適合する測定ユニットの製造番号又は製造ロット番号、当該センサの有効期限のうち、少なくとも一の情報を表す
ことを特徴とする請求項７記載のヘルスケアデータ取得システム。
【請求項１０】
前記測定ユニットのプロパティ情報は、当該測定ユニットが測定対象とする体液の種類、当該測定ユニットと適合するセンサの製造番号又は製造ロット番号、当該測定ユニットの有効期限のうち、少なくとも一の情報を表す
ことを特徴とする請求項７記載のヘルスケアデータ取得システム。
【請求項１１】
前記ヘルスケアデータ取得システムにおけるデータ管理装置は、さらに、
前記データ測定装置が前記データ管理装置に前記情報を送信したことを検知する第１検知手段と、
前記データ管理装置が前記データ測定装置に前記ヘルスケアデータを送信したことを検知する第２検知手段と、
前記第１検知手段と前記第２検知手段におけるそれぞれの前記送信を検知した場合に、前記データ測定装置または前記データ管理装置の少なくとも一方の装置に対して所定の課金を行う課金手段と
を備えることを特徴とする請求項２記載のヘルスケアデータ取得システム。
【請求項１２】
前記第１検知手段は、さらに、前記情報を送信した回数の計数を行い、
前記第２検知手段は、さらに、前記ヘルスケアデータを送信した回数の計数を行い、
前記課金手段は、前記第１検知手段と前記第２検知手段における、それぞれの前記送信を行った回数に応じて前記課金を行う
ことを特徴とする請求項１１記載のヘルスケアデータ取得システム。
【請求項１３】
被験体に関する生物学上の所定の特性を測定するためのデータ測定方法であって、
被験体に関する特性を所定の電気量を表す情報に変換する特性変換ステップと、
前記変換された電気量を表す情報を所定の他の装置に送信する情報送信ステップと、
前記他の装置から、前記被験体の生物学上の特性を表わす単位を付加したデータを受信するデータ受信ステップと
を含むことを特徴とするデータ測定方法。
【請求項１４】
互いにネットワークを介して接続されている、被験体に関する生物学上の特性を測定するためのデータ測定装置と前記特性に関するデータを管理するデータ管理装置とを備えるシステムにおけるヘルスケアデータ取得方法であって、
前記データ測定装置において、
被験体に関する特性を所定の電気量を表す情報に変換する特性変換ステップと、
前記電気量を表わす情報を当該データ測定装置から前記データ管理装置に送信する情報送信ステップとを含み、
前記データ管理装置において、
前記データ測定装置から前記情報を受信する受信ステップと、
前記受信した情報に基づいて、前記被験体に関する生物学上の特性を表わす単位を付加したデータに換算するデータ換算ステップと、
前記換算されたデータを当該データ管理装置から前記データ測定装置に返信する返信ステップと
を含むことを特徴とするヘルスケアデータ取得方法。
【請求項１５】
被験体に関する生物学上の所定の特性を測定するデータ測定装置のためのプログラムであって、
被験体に関する特性を所定の電気量を表す情報に変換する特性変換ステップと、
前記変換された電気量を表す情報を所定の他の装置に送信する情報送信ステップと、
前記他の装置から、前記被験体の生物学上の特性を表わす単位を付加したデータを受信するデータ受信ステップと
を含むことを特徴とするプログラム。
【発明の詳細な説明】
【技術分野】  本発明は、場所や時間に制限されずに手軽に健康のチェックを行うことができるデータ測定装置やヘルスケアデータ取得システム等に関するものである。
【背景技術】  従来より、測定器によって血圧、脈拍数、血糖値などの健康に関するデータを測定し、そのデータを電話回線等を介して医療機関や自治体等に伝送し、その医療機関等において診断やアドバイスなどの医療情報の提供を行うシステムなどが提案され、実際に稼働している。従来の医療情報サービスシステム５００の代表的な機能構成を図１（ａ）に示す。
図１（ａ）に示されるように、医療情報サービスシステム５００は、データ測定部５１、通信制御部（電話）５２及び５３、データ管理部５４、入出力部５５及び課金処理部５６などを備えている。
データ測定部５１は、体液等に基づいて、被験者の健康に関する測定を行う。ここで、データ測定部５１は、図１（ｂ）に示されるように、センサ５１０と演算制御部５１１とを備える。演算制御部５１１は、センサ５１０において取得された数値データと演算制御部５１１が保持する検量線データとに基づいて、単位の付いた健康に関するデータ（以下、「ヘルスケアデータ」という。）に変換する。ここで、「数値データ」とは、センサ５１０から出力される電気量（例えば、電圧値、電流値、抵抗値又は電力値等）を示すデータをいい、このデータのみでは健康に関する何の特性を示すかが不明なデータをいう。また、「検量線データ」とは、上記の数値データと測定対象である健康に関する特性との関係を繋げるための直線又は曲線を表わすデータをいう。
通信制御部５２および５３は、データ測定部５１とデータ管理部５４との間でやり取りされる通信を制御する。データ管理部５４は、通信制御部５２、５３を介してデータ測定部５１から受信したヘルスケアデータを蓄積／管理すると共に、入出力部５５と課金処理部５６とを制御する。
以上のような構成を有する医療情報サービスシステム５００においては、データ測定部５１が、例えば血圧値として「ｍｇ  Ｈｇ」、血糖値として「ｍｇ／ｄｌ」のようなヘルスケアデータを取得し、そのヘルスケアデータを電話回線等を介して医療機関等に設置されたデータ管理部５４に伝送する方法を採用している。医者や看護士など（以下、「医療担当者」という。）は、入出力部５５を介して、データ管理部５４に蓄積された、過去から現在までのヘルスケアデータの変化を見て健康状態を調べたり、その管理を行ったりする。また、医療担当者が、入出力部５５を介して被験者に、ヘルスケアデータに基づく診断やアドバイスを行うとき、課金処理部５６によって、上記診断やアドバイス、さらにはデータ測定部５１からデータ管理部５４へのヘルスケアデータの送信に対して課金処理を行うことにより、本システム５００の構築者等は利益を得ることができる。
従来の技術によるヘルスケアデーアを用いる医療情報サービスシステム５００の概要は以上の通りであるが、上記の医療情報サービスシステム５００におけるデータ測定部５１は、図１（ｂ）に示されるように、被験者を直接測定するセンサ５１０と、センサ５１０から取得した数値データをヘルスケアデータに換算するための演算制御部５１１（例えば、計算アルゴリズムを格納したＲＯＭやＲＡＭ等を有するマイクロコンピュータ）とを備えている。
すなわち、データ測定部５１には、センサ５１０が検出した数値データをヘルスケアデータに換算するための専用ＩＣ等が必要であり、データ測定部５１のコストが増大してしまうという問題がある。
さらに、通信制御部５２として、近年普及が著しい携帯電話を用いることにより、ヘルスケアデータの伝送がより容易になるが、データ測定部５１は、演算制御部５１１を備える必要があるため、そのサイズが大型化してしまうという問題がある。この大型化は、携帯電話における携帯性とは相反するものであり、利用者がいつでもどこでも手軽にヘルスケアデータを得ようとする際の障害になる。
また、例えば血糖値測定センサのように、データ測定部５１に付属するセンサ５１０のバージョンが変わると、データ測定部５１全体を交換する必要が生じる。これはユーザの負担を増大させることになる。
さらに、将来、ポイントオブケア（例えば、医療現場等で直ちに血液成分分析）を行う必要があるような場合、データ測定部５１のセンサ５１０の部分がチップ化され、小型軽量化されても、ヘルスケアデータの分析に高度なアルゴリズムを必要とする場合は、外部の処理能力の高いコンピュータを用いなければならなくなるが、その場合は速やかに対応することができず、いつでもどこでも簡単に必要な分析等を行うわけにはいかない。
そこで、本発明は、上記の課題に鑑みてなされたものであり、ヘルスケアデータを得るための測定装置に関するコストを下げると共に、ヘルスケアデータの取得やヘルスケアデータの処理を簡便かつ容易に実行することが可能なデータ測定装置、ヘルスケアデータ取得システム等を提供することを目的とする。
【発明の開示】
上記の目的を達成するために、本発明に係るデータ測定装置は、被験体に関する生物学上の所定の特性を測定するためのデータ測定装置であって、被験体に関する特性を所定の電気量を表す情報に変換する特性変換手段と、前記変換された電気量を表す情報を所定の他の装置に送信する情報送信手段と、前記他の装置から、前記被験体の生物学上の特性を表わす単位を付加したデータを受信するデータ受信手段とを備える。
これにより、本発明に係るデータ測定装置は、被験者のヘルスケアデータの元となる数値データだけを検出して外部の装置に送信し、その外部の装置で算出されたヘルスケアデータを受信するように構成したので、データ測定装置の簡素化および低コスト化を図ることができる。
また、上記目的を達成するために、本発明に係るヘルスケアデータ取得システムは、互いにネットワークを介して接続されている、被験体に関する生物学上の特性を測定するためのデータ測定装置と前記特性に関するデータを管理するデータ管理装置とを有するヘルスケアデータ取得システムであって、前記データ測定装置は、被験体に関する特性を所定の電気量を表す情報に変換する特性変換手段と、前記電気量を表わす情報を前記データ管理装置に送信する情報送信手段とを備え、前記データ管理装置は、前記データ測定装置から前記情報を受信する受信手段と、前記受信した情報に基づいて、前記被験体に関する生物学上の特性を表わす単位を付加したデータに換算するデータ換算手段と、前記換算されたデータを前記データ測定装置に返信する返信手段とを備える。
これにより、本発明に係るヘルスケアデータ取得システムは、被験者が使用するデータ測定装置にはヘルスケアデータの元となる数値データだけを検出させ、ヘルスケアデータの算出は、外部のデータ管理装置で実施するように構成したので、データ測定装置の簡素化、低コスト化を図ると共に、ヘルスケアデータの換算については、外部のデータ管理装置側で柔軟に対応することが可能となる。
なお、上記目的を達成するために、本発明は、上記のデータ測定装置の特徴的な構成手段をステップとするデータ測定方法として実現したり、その方法の全てのステップを含むプログラムとして実現することもできる。そして、そのプログラムは、上記方法を実現し得る装置が備えるＲＯＭ等に格納しておくだけでなく、ＣＤ−ＲＯＭ等の記録媒体や通信ネットワーク等の伝送媒体を介して流通させることもできる。また、上記目的を達成するために、本発明は、ヘルスケアデータ取得システムの特徴的な構成手段をステップとするヘルスケアデータ取得方法として実現することもできる。
【図面の簡単な説明】  図１は、従来の医療情報サービスシステムの機能構成を示すブロック図である。
図２は、実施の形態１におけるヘルスケアデータ取得システムの機能構成を示すブロック図である。
図３は、検量線データの一例を示す図である。
図４は、データ測定装置とデータ管理装置間でやり取りされるデータの構造の一例である。
図５は、実施の形態１における通信シーケンス図である。
図６は、実施の形態１の変形例における通信シーケンス図である。
図７は、実施の形態２におけるヘルスケアデータ取得システムの機能構成を示すブロック図である。
図８は、実施の形態２における通信シーケンス図である。
【発明を実施するための最良の形態】  以下、本発明の実施の形態について、図面を参照しながら説明する。
（実施の形態１）
図２（ａ）は、本実施の形態におけるヘルスケアデータ取得システム１００の機能構成を示すブロック図である。図２（ａ）に示されるように、ヘルスケアデータ取得システム１００は、データ測定装置１０とデータ管理装置２０とを備える。
まず、データ測定装置１０について説明する。
データ測定装置１０は、データ測定部１１と通信制御部１２とを備える。図２（ｂ）は、データ測定部１１の機能構成を示すブロック図である。図２（ｂ）に示されるように、データ測定部１１は、センサ１１０とインタフェース部（測定ユニット）１１１とを備える。
センサ１１０は、被験者の体液等における所定の特性（例えば、血液における血糖値や尿におけるたんぱく質の含有量など）を測定し、電気量（例えば、電圧値、電流値、抵抗値又は電力値等）に変換し、この電気量を表す数値データを取得する。
インタフェース部１１１は、センサ１１０によって取得された数値データを予め決められた手順に従って通信制御部１２に送信する。
通信制御部１２は、例えば携帯電話であり、ＲＯＭやＲＡＭ等を含むマイクロコンピュータを備え、電話回線等のネットワーク１５を介して接続されているデータ管理装置２０との間で行われる通信を制御する。さらに、通信制御部１２は、データ測定部１１に対して数値データを取得するように指示する。さらにまた、通信制御部１２は、データ測定部１１から数値データを受信してデータ管理装置２０に送信すると共に、データ管理装置２０からヘルスケアデータを受信する。
次に、データ管理装置２０について説明する。
データ管理装置２０は、例えばパーソナルコンピュータであり、通信制御部１３、全体制御部１４、記憶部２５、入出力部３６及び課金処理部４７を備える。
通信制御部１３は、例えば、ＲＯＭやＲＡＭ等を備える通信制御用のＬＳＩであり、データ測定装置１０とデータ管理装置２０との間でやりとりされる通信を制御する。さらに、通信制御部１３は、データ測定装置１０からデータ管理装置２０へのデータ送信や、データ管理装置２０からデータ測定装置１０へのデータ送信があった場合は、これらのデータ送信に関する情報（例えば、データ送信に要した時間や電話番号等）を課金処理部４７に通知する。
全体制御部１４は、例えば、ＲＯＭやＲＡＭ等を備えるマイクロコンピュータであり、データ管理装置２０の全体を制御すると共に、通信制御部１３を介してデータ測定装置１０から受信した数値データからヘルスケアデータを換算する。より詳細には、全体制御部１４は、検量線データを用いることによって、数値データからヘルスケアデータを換算する。
図３は、全体制御部１４が、ヘルスケアデータを換算する際に用いる検量線データの一例を示す図である。図３に示されるように、検量線データによって、数値データに対するヘルスケアデータが一義的に定義され得る。
記憶部２５は、センサ１１０や測定ユニット１１１のバージョンやロットに対応づけて各種の検量線データを記憶する。さらに、記憶部２５は、データ測定装置１０から受信した数値データ、および全体制御部１４によって換算されたヘルスケアデータを被験者に対応付けて蓄積する。これにより、全体制御部１４は、蓄積されたヘルスケアデータの経時的変化を図やグラフに変換して入出力部３６に提示したり、データ測定装置１０に返信することができる。したがって、データ測定装置１０のユーザである被験者は、データ管理装置２０からヘルスケアデータを受信して、通信制御部１２（例えば、携帯電話）が備えるディスプレイを通して任意の時刻にヘルスケアデータを確認することができる。
課金処理部４７は、本システム１００における通信状況を管理し、データ測定装置１０からデータ管理装置２０へのアクセス回数、医療担当者の入出力部３６の操作回数等に基づき、データ測定装置１０のユーザや、データ管理装置２０の医療担当者に対して課金を設定する。その課金の結果は、データの送受信が行われる都度、または所定の期間毎にまとめてユーザや医療担当者に連絡を行うこととする。具体的に説明すると、課金処理部４７は、通信制御部１３および全体制御部１４に接続され、データ測定装置１０からデータ管理装置２０へのデータ送信や、データ管理装置２０からデータ測定装置１０へのデータ送信を検出し（例えば、通信制御部１３から上記データ送信に関する情報（例えば、電話番号やデータ送信に要した時間等）の通知を受ける。）、上記データ送信に要した時間や回数を計数する。さらに、課金処理部４７は、上記のデータ送信に要した時間や回数に応じて、データ測定装置１０又はデータ管理装置２０の少なくとも一方、又は両方に課金処理を行う。
このように、課金処理部４７を設けることにより、ヘルスケアデータ取得システム１００を提供する際に、データ測定装置１０を利用するユーザと、データ管理装置２０を利用する医療担当者との両方からサービス提供に係る対価を得ることができる。
入出力部３６は、例えば、キーボードや液晶ディスプレイ装置などであり、医療担当者から受け付けた操作を表す情報を全体制御部１４に送信すると共に、全体制御部１４を介して受信した、通信状況を表す情報や各種データ等の表示を行う。より具体的には、入出力部３６は、蓄積されたヘルスケアデータの経時的変化を図やグラフに変換して医療担当者に提示する。また、入出力部３６は、医療担当者から、診断やアドバイスなどのためのデータ入力を受け付ける。データ測定装置１０のユーザである被験者は、これらのデータを通信制御部１２（例えば、携帯電話）が備えるディスプレイなどによって確認することができる。
さらに重要なことは、データ測定装置１０から受信した数値データは、ユーザが改ざんできないため、医療担当者は、データ測定装置１０からの恣意的な自己申告（例えば、「昨晩不摂生をしたのでちょっとデータを変えて…」等）といった操作を排除し、正しくヘルスケアデータを取得することができ、精度の高い診断や適切なアドバイスを行うことが可能となる。というのは、データ測定部１１で取得された数値データは、自動的に通信制御部１２を介してデータ管理装置２０に送信されるからである。
図４（ａ）〜（ｃ）は、データ測定装置１０とデータ管理装置２０間でやり取りされるデータの構造例を示す図である。図４（ａ）は、データ測定装置１０からデータ管理装置２０に送信される数値データ４０４を含むデータ４００の構造例を示す図である。データ４００は、数値データ４０４の他に、測定ユニットＩＤ４０１、センサＩＤ４０２及びヘルスケアデータの種類４０３を含んでいる。
図４（ｂ）は、データ管理装置２０からデータ測定装置１０に送信されるヘルスケアデータ４１４を含むデータ４１０の構造例を示す図である。このデータ４１０も上記のデータ４００と同様、測定ユニットＩＤ４０１、センサＩＤ４０２及びヘルスケアデータの種類４０３を含んでいる。
なお、図４（ｃ）は、後述する実施の形態１の変形例で使用されるデータであって、データ管理装置２０からデータ測定装置１０に送信される検量線データを含むデータ４２０の構造例を示す図である。このデータ４２０も上記のデータ４００と同様、測定ユニットＩＤ４０１、センサＩＤ４０２及びヘルスケアデータの種類４０３を含んでいる。
次に、以上のように構成されるヘルスケアデータ取得システム１００の動作について説明する。
図５は、データ管理装置２０において検量線データを用いることによって換算されたヘルスケアデータをデータ測定装置１０に送信する場合の通信シーケンス図である。
最初に、データ測定装置１０のデータ測定部１１は、通信制御部１２の指示により、被験者の血液や尿について所定の手順で測定を行い、数値データを取得する（Ｓ５０１）。具体的には、データ測定部１１のセンサ１１０が、インタフェース部１１１を介して通信制御部１２から指示を受けると、血液や尿に対する測定結果としての電流値、電圧値、抵抗値又は電力値等の電気量を数値で表わした数値データを、インタフェース部１１１を介して通信制御部１２に出力する。例えば、血圧を求めようとする場合は、センサ１１０は、圧電素子や熱電対などの素子により、その測定結果として、電圧値の数値データを出力する。さらに、データ測定装置１０の通信制御部１２は、データ測定部１１によって取得された数値データをデータ管理装置２０に送信する（Ｓ５０２）。
これにより、データ管理装置２０の全体制御部１４は、通信制御部１３を介してデータ測定装置１０から数値データを受信すると（Ｓ５０３）、受信した数値データの内容を分析する（Ｓ５０４）。さらに、データ管理装置２０の全体制御部１４は、上記の分析結果に基づいて検量線データの選択を行い（Ｓ５０５）、その検量線データを用いて数値データからヘルスケアデータを換算する（Ｓ５０６）。より詳細には、全体制御部１４は、数値データを受信すると、所定の解析アルゴリズムに基づいて、選択された検量線データを用いることによって、数値データからヘルスケアデータを換算する。例えば、血圧を求めようとする場合、全体制御部１４は、受信した数値データに対応する既知の血圧値を示す検量線データを選択し、この検量線データを用いてヘルスケアデータを換算する。その後、データ管理装置２０の全体制御部１４は、換算したヘルスケアデータをデータ測定装置１０に送信するように通信制御部１３に指示する（Ｓ５０７）。
このあと、データ測定装置１０は、データ管理装置２０からヘルスケアデータを受信すると（Ｓ５０８）、そのヘルスケアデータを通信制御部１２のディスプレイ（図示省略）上に表示する（Ｓ５０９）。
このように、本実施の形態に係るヘルスケアデータ取得システム１００は、データ測定装置１０は、被験者のヘルスケアデータの元となる数値データだけを検出し、ヘルスケアデータの算出は、外部のデータ管理装置２０で実施させるように構成したので、データ測定装置１０の簡素化、低コスト化を図ることができる。言い換えれば、データ測定部１１（例えば、血糖値測定器）と組み合わせた通信制御部１２（例えば、携帯電話）と、ヘルスケアデータ生成機能を有するデータ管理装置２０（例えば、パソコン）とを備えるヘルスケアデータ取得システムとして実現した場合は、通信制御部１２（例えば、携帯電話）を使用するユーザは、非常にシンプルな装置を簡便に使用しながら高度な分析を行うことが可能になる。
なお、上記の実施の形態では、ヘルスケアデータとして血圧値を得る実施例について説明を行ったが、以下では、ヘルスケアデータとして血糖値を得る場合について説明する。この場合のセンサ１１０を、数値データを検出するための試薬を備えたディスポーザブルのセンサとし、全体制御部１４を、読み取り装置を備えた構成としてもよい。この場合は、センサ１１０で取得された数値データと全体制御部１４内に記憶している検量線データとを用いてヘルスケアデータを換算する。
さらに、センサ１１０は、試薬が備えられているものとして説明を行ったが、試薬が改善されると、センサ１１０のバージョンが変わることになり、全体制御部１４内の検量線データもこの新しいセンサに合わせる必要がある。
本実施の形態では、これに対応するため、センサ１１０や測定ユニット１１１にそのバージョンナンバーやロットナンバーを設定しておくと共に、全体制御部１４にもセンサのバージョンナンバーやロットナンバー（これらを「属性情報」又は「プロパティ情報」という。）に応じた検量線データを保持しておく。
この場合、データ測定部１１が、検出した数値データと共に、センサ１１０や測定ユニット１１１のバージョンナンバーやロットナンバーを全体制御部１４に伝送する。データ測定装置１０から属性情報を受信したデータ管理装置２０の全体制御部１４は、取得したバージョンナンバーやロットナンバーを参照して、これに対応した検量線データを選択して、ヘルスケアデータを換算する。そして、換算されたヘルスケアデータをデータ測定装置１０に送信する。
すなわち、データ測定装置１０（即ち、センサや測定ユニット）の性能の向上に、全体制御部１４側で追従させて測定精度の向上を図ることができ、そのコストはデータ測定部１１にはほとんど影響させないようにできるため、ユーザにとって非常に安価なシステムを構築することができる。
（変形例）
本実施の形態における上記の実施例では、データ管理装置２０側でヘルスケアデータを換算する場合について説明したが、データ測定装置１０がセンサ等の属性情報に基づいてデータ管理装置２０から検量線データを入手し、データ測定装置１０側でヘルスケアデータを換算する場合も考えられる。
図６は、データ測定装置１０が、センサ等の属性情報に基づいてデータ管理装置２０から検量線データを入手し、データ測定装置１０においてヘルスケアデータを換算する場合の通信シーケンス図である。
最初に、データ測定装置１０は、通信制御部１２の指示により、センサ１１０や測定ユニット１１１の属性情報（例えば、バージョンナンバーやロットナンバー）を特定する（Ｓ６０１）。さらに、データ測定装置１０は、特定した属性情報をデータ管理装置２０に送信する（Ｓ６０２）。
これにより、データ管理装置２０の全体制御部１４は、通信制御部１３を介して、データ測定装置１０から属性情報を受信し（Ｓ６０３）、受信した属性情報に基づいて検量線データを特定する（Ｓ６０４）。さらに、データ管理装置２０は、上記のように特定した検量線データをデータ測定装置１０に送信する（Ｓ６０５）。
その後、検量線データを送信したデータ測定装置１０は（Ｓ６０６）、データ測定部１１を介して数値データを取得し（Ｓ５０１）、取得した数値データと受信した検量線データとの基づいてヘルスケアデータを生成し（Ｓ５０２）、そのヘルスケアデータを通信制御部１２のディスプレイ（図示省略）上に表示する（Ｓ５０９）。
以上のように、本実施の形態に係るヘルスケアデータ取得システムによれば、データ測定装置１０は、センサや測定ユニットの属性情報に基づいて、必要な検量線データをその都度データ管理装置から入手するので、バージョンナンバーやロットナンバーに対応する多くの検量線データを蓄積するためのメモリが不要となるので、データ測定装置１０を小型で実現することが可能となる。
また、本実施の形態におけるヘルスケアデータ取得システム１００によれば、被験者であるユーザは、携帯電話等とセットになったシンプルなデータ測定装置を使用することによって、即時にヘルスケアデータを得ることが可能となると共に、一連のヘルスケアデータをデータ管理装置から受信することによって、過去と現在のデータについて比較することが容易に可能となる。
なお、上記の実施の形態においては、課金処理部４７は、課金を設定するとそれを通信制御部１３を介してデータ測定装置１０又は全体制御部１４に連絡するものとしたが、連絡は、通信回線を用いず、郵送等によって行うこととしてもよい。
また、上記の実施の形態において、携帯電話を通した送受信は携帯電話回線を介するものとして説明したが、通信回路はこれに限定するものではなく、例えばインターネットを介してｅ−メールなどを使用するようにしてもよい。これにより、通信にかかるコストを低減し、接続料金等を安くすることも可能である。
（実施の形態２）
図７は、本実施の形態に係るヘルスケアデータ取得システム７００の機能構成を示すブロック図である。本システム７００が、上記実施の形態１のヘルスケアデータ取得システム１００と異なる点は、データ測定装置が複数のデータ測定部と複数のセンサとを備える点である。
本システム７００の動作は、基本的には実施の形態１のヘルスケアデータ取得システム１００と同様であり、データ測定部７１１、７１４、７１７により測定された数値データを、全体制御部７４０においてヘルスケアデータに換算して、記憶部７７０に記憶する。さらには、医療担当者が入出力部３６を通してヘルスケアデータおよびその経時変化に対して診断、アドバイスなどのデータを入力し、これらのデータをデータ測定装置７１０のユーザが確認する。
さらに、本実施の形態では、ヘルスケアデータ取得システム７００の利用方法として、課金処理部４７が通信状況を監視し、データ測定装置７１０から全体制御部７４０へのアクセス回数、医療担当者の入出力部３６における操作回数等に基づき、データ測定装置７１０のユーザや、医療担当者に対して課金を設定する。その課金の結果は、データの転送が行われる都度、または所定の期間毎にまとめてユーザの端末、即ちデータ測定装置７１０または全体制御部７４０に連絡すればよい。
さらに、本実施の形態は、複数のセンサおよび複数の測定ユニットを利用するため、センサや測定ユニットを識別するＩＤ番号に基づいて、どのセンサがどの測定ユニットにセットされたのかを全体制御部７４０側で識別する。識別後、それに合致した検量線データを記憶部７７０から選択し、データ測定装置７１０から受信した数値データをヘルスケアデータに変換する。
以上のように、本実施の形態によれば、多種類のヘルスケアデータの解析を可能にすることにより、より付加価値の高い情報を配信することができる。
次に、以上のように構成されるヘルスケアデータ取得システム７００の動作について説明する。
図８は、上記ヘルスケアデータ取得システム７００のデータ管理装置７３０における処理の流れを示したフローチャートである。
最初に、全体制御部７４０は、通信制御部１３を介して数値データを受信し（Ｓ８０１）、測定ユニットの種類の判別を行う（Ｓ８０２）。この際、全体制御部７４０は、測定ユニット７１３が契約した測定ユニットか否かを判別し（Ｓ８０３）、もし、契約した測定ユニットでない場合は（Ｓ８０３：ＮＯ）、データ測定装置７１０にその旨を示すメッセージを送信する（Ｓ８０４）。
契約した測定ユニットの場合（Ｓ８０４：ＹＥＳ）、全体制御部７４０は、センサの種類を判別すると共に（Ｓ８０５）、そのセンサは上記測定ユニットに対応するものか否かを判別する（Ｓ８０６）。これにより、もし、測定ユニットに対応するセンサでない場合は（Ｓ８０６：ＮＯ）、データ測定装置７１０にその旨を示すメッセージを送信する（Ｓ８０７）。
さらに、全体制御部７４０は、測定ユニットが契約期間内か否かを判別する（Ｓ８０８）。もし、測定ユニットが契約期間内でない場合は（Ｓ８０８：ＮＯ）、データ測定装置７１０にその旨を示すメッセージを送信する（Ｓ８０９）。
最後に、全体制御部７４０は、上記の測定ユニットに対応した検量線データを選択し（Ｓ８１０）、受信した数値データと検量線データとに基づいてヘルスケアデータを生成し（Ｓ８１１）、データ測定装置７１０に送信する（Ｓ８１２）。
以上のように、本発明によれば、ユーザは非常にシンプルな構成を有する測定器を携帯電話に接続することにより、ヘルスケアシステムとしてヘルスケアデータのやりとりができるようになり、従来の個々のヘルスケア装置のイメージを大きく変え、ユーザにとりシンプルであるがシステムとしてはサービスまで含めた充実したヘルスケアシステムを提供することができる。
なお、上記の各実施の形態において、データ測定部１１、７１１、７１４、７１７は、本発明の特性変換手段の一例である。また、センサ１１０、７１２ａ、７１２ｂ、７１２ｃは、本発明の変換部に含まれるセンサの一例である。また、データ測定装置１０、７１０における通信制御部１２、７２０は、本発明のデータ測定装置における情報送信手段及びデータ受信手段の一例である。また、データ管理装置２０、７３０における通信制御部１３は、本発明のデータ管理装置における受信手段及び返信手段の一例である。また、全体制御部１４、７４０は、本発明のデータ換算手段の一例である。また、記憶部２５、７７０は、本発明の記憶手段の一例である。また、入出力部３６は、本発明の指示受付手段の一例である。また、課金処理部４７は、本発明の課金手段の一例である。また、データ管理装置２０、７３０における通信制御部１３及び課金処理部４７は、本発明における第１検知手段の一例である。また、データ管理装置２０、７３０における通信制御部１３及び課金処理部４７は、本発明における第２検知手段の一例である。また、数値データは、本発明の特性変換手段において変換された所定の電気量を表す情報に相当し、ヘルスケアデータは、本発明の医学上、生理学上および生物学上の全部または一部の所定の特性を示す単位を付加したデータに相当し、バージョンナンバーは、本発明のプロパティ情報に相当するものである。
また、本発明は上記の実施の形態に限定されるものではなく、本発明のデータ測定装置は、携帯電話の他、携帯通信端末（ＰＤＡ）を用いて実現してもよい。また、ディスプレイおよび受信のための手段は省略し、本発明の情報送信手段のみを備えた送信専用端末としてもよい。この場合、ヘルスケアデータは全体制御部１４からのみ閲覧可能となる。
また、ヘルスケアデータの一例として、上記実施の形態では、血圧、血糖値を挙げたが、他に体温、心拍数、血圧等であってもよい。
また、本発明の生体は、人間の他、家畜、愛玩動物等の動物、農作物、観葉植物等の植物も含まれる。
また、本発明のプロパティ情報は、センサの性能または特徴を識別可能なものであれば、バージョンナンバーやロットナンバー以外の情報であってもよい。
また、本発明は、上述した本発明のヘルスケアデータ取得システムの全部または一部の手段（または、装置、素子、回路、部等）の機能をコンピュータにより実行させるためのプログラムであって、コンピュータと協働して動作するプログラムであってもよい。
また、本発明は、上述した本発明のヘルスケアデータ取得システムの全部または一部の手段の全部または一部の機能をコンピュータにより実行させるためのプログラムを担持した媒体であり、コンピュータにより読み取り可能、かつ、読み取られた前記プログラムが前記コンピュータと協動して前記機能を実行する媒体であってもよい。
なお、本発明の一部の手段（または、装置、素子、回路、部等）、本発明の一部のステップ（または、工程、動作、作用等）とは、それらの複数の手段またはステップの内の、幾つかの手段またはステップを意味し、あるいは、一つの手段またはステップの内の、一部の機能または一部の動作を意味するものである。
また、本発明の一部の装置（または、素子、回路、部等）とは、それらの複数の装置の内の、幾つかの装置を意味し、あるいは、一つの装置の内の、一部の手段（または、素子、回路、部等）を意味し、あるいは、一つの手段の内の、一部の機能を意味するものである。
また、また、本発明のプログラムを記録した、コンピュータに読み取り可能な記録媒体も本発明に含まれる。
また、本発明のプログラムの一利用形態は、コンピュータにより読み取り可能な記録媒体に記録され、コンピュータと協働して動作する態様であっても良い。
また、本発明のプログラムの一利用形態は、伝送媒体中を伝送し、コンピュータにより読み取られ、コンピュータと協働して動作する態様であっても良い。
また、本発明のデータ構造としては、データベース、データフォーマット、データテーブル、データリスト、データの種類などを含む。
また、記録媒体としては、ＲＯＭ等が含まれ、伝送媒体としては、インターネット等の伝送機構、光・電波・音波等が含まれる。
また、上述した本発明のコンピュータは、ＣＰＵ等の純然たるハードウェアに限らず、ファームウェアや、ＯＳ、さらに周辺機器を含むものであっても良い。
なお、以上説明した様に、本発明の構成は、ソフトウェア的に実現しても良いし、ハードウェア的に実現しても良い。
【産業上の利用可能性】  本発明は、携帯性を有する健康や生物学上の特性を計測するためのデータ取得システムなどに有用であり、特に測定ユニット又はセンサが、製造時のバージョンや製造ロットによって検量線データを変更する必要があるシステムなどに適用が可能である。
【図１】
2004014228.tif 000003
【図２】
2004014228.tif 000004
【図３】
2004014228.tif 000005
【図４】
2004014228.tif 000006
【図５】
2004014228.tif 000007
【図６】
2004014228.tif 000008
【図７】
2004014228.tif 000009
【図８】
2004014228.tif 000010
【国際調査報告】
2004014228.tif 000011
2004014228.tif 000012
2004014228.tif 000013
2004014228.tif 000014